(57)【要約】洗浄器具（２）は、使用者が保持するような構成である第１端（１４）、および自身に取り付けられて即座に水で流せる洗浄部材（６）を有するような構成である第２端（１８）、および洗浄器具（６）を器具（２）の第２端（１８）から外すように操作可能である洗浄部材排出手段（２０）を有する。
2006519046.tif 000002
【特許請求の範囲】
【請求項１】
使用者が保持するような構成である柄、柄上の取り付け手段によって自身に選択的に取り付けられ、水で流せる洗浄部材を含む洗浄器具であって、前記柄が、洗浄部材を柄から外して、使用後に洗浄部材を廃棄できるようにするために、使用者によって操作可能である洗浄部材排出手段を組み込み、洗浄部材が、洗浄表面および反対側の取り付け表面を有し、前記取り付け手段が洗浄部材の取り付け表面に取り付けられる洗浄器具。
【請求項２】
洗浄部材が、これを柄から外し、トイレに流すことによって廃棄可能である、請求項１に記載の洗浄器具。
【請求項３】
洗浄部材が細長い形態である、請求項１に記載の洗浄器具。
【請求項４】
洗浄部材の柄が、柄に沿って配置された細長い部材を含み、前記細長い部材が、弾性部材の一部として設け、隔置した第１および第２アームを介して取り付け手段に接続され、前記弾性部材が取り付け手段に対して選択的に動作可能であり、排出力を洗浄部材に加えて、これを取り付け手段から外し、排出力を加えるために、アームが弾性部材のさらなる部分との組み合わせで作用して、取り付け手段が存在する面に対してほぼ直角の方向で排出力を加える、請求項１に記載の洗浄器具。
【請求項５】
洗浄部材の長手方向軸線が、それに対して直角の最長軸線より長い、請求項１に記載の洗浄器具。
【請求項６】
洗浄部材がほぼ平坦である、請求項１に記載の洗浄器具。
【請求項７】
洗浄器具の少なくとも洗浄表面が湾曲する、請求項１に記載の洗浄器具。
【請求項８】
洗浄部材が、少なくとも１本の弱化線を含み、部材の廃棄中に前記少なくとも１本の線で洗浄部材を折り曲げることを容易にする、請求項１に記載の洗浄器具。
【請求項９】
洗浄部材が、取り付け手段から排出された場合、または水流および／または分解の影響で、洗浄部材を幾つかの部分に分離できるように設けた破断線を有する、請求項１に記載の洗浄器具。
【請求項１０】
洗浄部材が、自身内に含浸または配置した洗浄材料を含む、請求項１に記載の洗浄器具。
【請求項１１】
洗浄部材が、取り付け層、汚物バリア層および洗浄層のいずれか、またはいずれかの組み合わせを含む多層構造を有する、請求項１に記載の洗浄器具。
【請求項１２】
取り付け層が、織物ループのスクリムまたは開放構造の不織繊維ウェブを有する、請求項１１に記載の洗浄器具。
【請求項１３】
洗浄部材が、柄の取り付け手段によって所定の位置に保持された複数の比較的小さい洗浄部材部分を有する、請求項１に記載の洗浄器具。
【請求項１４】
洗浄部材を取り付け手段から排出可能であり、トイレ便器に廃棄するために即座に水に流すことができる、請求項１に記載の洗浄器具。
【請求項１５】
器具が、使用していない場合に洗浄器具の柄を支持し、柄に順番に選択的に取り付けるために複数の洗浄部材を積み重ねて保存する保存器具を含む、請求項１に記載の洗浄器具。
【請求項１６】
保存手段が、柄と洗浄部材を取り付けて、保存手段から取り出した場合に使用するための洗浄器具を形成するように、柄を案内して導入し、積み重ねた頂部の洗浄部材と接触させることができるガイドを含む、請求項１５に記載の洗浄器具。
【請求項１７】
取り付け手段が、洗浄部材の取り付け表面とほぼ一直線上にある、請求項１に記載の洗浄器具。
【請求項１８】
洗浄部材がほぼ平面状である、請求項１に記載の洗浄器具。
【請求項１９】
洗浄部材が弾性変形可能である、請求項１に記載の洗浄器具。
【請求項２０】
取り付け手段が、洗浄すべき表面の形状に適合可能である、請求項１に記載の洗浄器具。
【請求項２１】
取り付け手段が、洗浄部材の取り付け表面の対合する取り付け手段と係合するような構成である、請求項１に記載の洗浄器具。
【請求項２２】
取り付け手段が、自身と接触した場合に洗浄部材と自動的に係合するような構成である、請求項２１に記載の洗浄器具。
【請求項２３】
柄の取り付け手段と洗浄部材の取り付け表面とが、フックとループの締結手段を含む、請求項２２に記載の洗浄器具。
【請求項２４】
接触すると、フック手段が洗浄部材に入って、これと係合する、請求項２２に記載の洗浄器具。
【請求項２５】
取り付け手段が、洗浄部材の取り付け表面と接触すると、取り付け手段と洗浄部材の表面との間に相対運動を必要とせずにそれと自動的に係合する、請求項２３に記載の洗浄器具。
【請求項２６】
取り付け手段が、洗浄部材を有意に変形せずに洗浄部材と係合する、請求項１に記載の洗浄器具。
【請求項２７】
器具の柄が、それぞれ第１および第２端を有する第１および第２アームを有し、前記第１端が、使用者によって把持するために設けられる、前記請求項いずれか１項に記載の洗浄器具。
【請求項２８】
アームが、アームの第１端がほぼ分離し、アームの第２端がほぼ一緒になる第１形状と、アームの第１端がほぼ一緒になり、アームの第２端がほぼ分離する第２形状との間で旋回するような構成である、請求項２７に記載の洗浄器具。
【請求項２９】
取り付け手段が柄に接続されて、少なくとも１本の回転軸の周囲で取り付け手段が柄に対して関節動作できるようにする、請求項２６に記載の洗浄器具。
【請求項３０】
取り付け手段が、画定された動作区域内で自由に柄に対して動作可能であり、弾力に抗してさらなる動作が可能である、請求項２９に記載の洗浄器具。
【請求項３１】
取り付け手段に、自身上に配置した洗浄部材上で係合を形成する１つまたは複数のプレートを設ける、請求項３４に記載の洗浄器具。
【請求項３２】
１つまたは複数のプレートが、取り付け手段の残りの部分に対して少なくとも１つの回転軸で動作可能であり、それによって使用中の洗浄部材の取り付け表面の変化に適合可能である、請求項３１に記載の洗浄器具。
【請求項３３】
取り付け手段が排出手段を含み、これは、その端部が取り付け手段と面一であるか、そこから後退した後退位置と、排出手段の自由端が取り付け手段より先まで延長して、洗浄部材を取り付け手段との係合から押す延長位置との間で動作可能である、請求項１に記載の洗浄器具。
【請求項３４】
柄の一部が、排出手段を動作させるために使用者によって選択的に動作可能である、請求項３３に記載の洗浄器具。
【請求項３５】
排出手段が柄の動作手段と接続可能であるが、そこから隔置される、請求項３４に記載の洗浄器具。
【請求項３６】
排出手段が弾性部材である、請求項１８に記載の洗浄器具。
【請求項３７】
弾性部材が、部材が洗浄部材ご接触しない第１位置と、部材が洗浄部材と接触する第２位置との間で動作するような構成である、請求項３３から３６いずれか１項に記載の洗浄器具。
【請求項３８】
取り付け手段が、洗浄部材の取り付け表面の面積のうち４０〜８０％の範囲と接触し、それに支持を提供する、請求項１に記載の洗浄器具。
【請求項３９】
柄が滑動手段を含み、これは洗浄部材と接触しない第１位置と、滑動手段が洗浄部材と接触して、洗浄部材を排出する第２位置との間で柄に沿って滑動するような構成である、請求項１に記載の洗浄器具。
【請求項４０】
柄が自身に取り付けられた洗浄材料の容器を含むか、これを有し、前記洗浄材料が、柄に取り付けられた場合に、制御された方法で洗浄部材上に流れるように設けられ、これによって洗浄材料を洗浄される表面に適用することができる、請求項１に記載の洗浄器具。
【請求項４１】
前記請求項いずれか１項に記載された洗浄器具とともに使用する洗浄部材であって、トイレの水に流すことによって廃棄可能である洗浄部材。
【請求項４２】
洗浄部材が洗浄表面および反対側の取り付け表面を有し、細長い形態である、請求項４１に記載の洗浄部材。
【請求項４３】
洗浄部材が、自身に加えた力によって屈曲しない限り、ほぼ平坦な形状を維持する洗浄部材である、請求項４１に記載の洗浄部材。
【請求項４４】
洗浄部材が繊維質である、請求項４１に記載の洗浄部材。
【請求項４５】
洗浄部材の長手方向軸線が、それに対して直角な最長軸線より長い、請求項４１に記載の洗浄部材。
【請求項４６】
洗浄部材がほぼ平坦である、請求項４１に記載の洗浄部材。
【請求項４７】
洗浄部材の少なくとも洗浄表面が湾曲する、請求項４１に記載の洗浄部材。
【請求項４８】
洗浄部材が少なくとも１本の弱化線を含み、水で流す間に洗浄部材が前記線で折れ曲がるのを容易にする、請求項４１から４７いずれか１項に記載の洗浄器具。
【請求項４９】
取り付け手段から排出されると、または水流および／または分解の影響で、洗浄部材を幾つかの部分に分離できるように破断線を設ける、請求項４１から４８いずれか１項に記載の洗浄器具。
【請求項５０】
洗浄部材の幅が６０ｍｍ未満であり、洗浄部材の長さが１２０ｍｍ未満である、請求項４１に記載の洗浄部材。
【請求項５１】
洗浄部材の長さが最低で洗浄部材の幅の１３０％であり、１５ｍｍ以内の幅である、請求項４１に記載の洗浄部材。
【請求項５２】
部材が単層構造である、請求項４１に記載の洗浄部材。
【請求項５３】
洗浄部材が、自身に含浸されるか、自身内に配置された洗浄材料を含む、請求項４１に記載の洗浄部材。
【請求項５４】
加えた洗浄材料が半乾燥するか、より明白には熱によって全ての水が追い出された場合に、液体の状態のままであるが、濃縮している、請求項５３に記載の洗浄部材。
【請求項５５】
部材が、取り付け層、汚物バリア層および洗浄層の任意の組み合わせを含む多層構造を有する、請求項４１に記載の洗浄部材。
【請求項５６】
取り付け層が、織物ループ・スクリムまたは開放構造の不織繊維ウェブを有する、請求項５５に記載の洗浄部材。
【請求項５７】
部材が、これより小さい複数の洗浄部材を有し、これは柄の取り付け部材によって所定の位置に保持することが好ましい、請求項４１に記載の洗浄部材。
【請求項５８】
柄から排出されると、トイレ便器に廃棄するために部材を即座に水に流すことができる、請求項４１に記載の洗浄部材。
【請求項５９】
部材が、部材を事前に処理せずに、即座に水に流すことができる、請求項５８に記載の洗浄部材。
【請求項６０】
柄に保持された洗浄部材で表面に沿って拭き取ることによって洗浄する方法であって、前記請求項１から４０いずれか１項に記載された洗浄器具および／または請求項４１から５９いずれか１項に記載された洗浄部材を使用することを含む方法。
【請求項６１】
使用しない場合は洗浄器具の少なくとも１つの柄を支持し、選択的に取り付けるために複数の洗浄部材を次々と保存する保存手段であって、使用するために柄および洗浄部材を取り付けて、洗浄器具を形成するように、柄を案内して導入し、洗浄部材に接触させることができるガイドを含む保存手段。
【請求項６２】
使用者が保持する構成である第１部分、および洗浄部材を取り付けるための構成である第２部分がある柄を有する洗浄器具であって、前記器具が、器具の使用者によって柄を介して選択的に操作され、取り付け手段と柄の係合に抗して作用し、洗浄部材を取り付け手段から強制的に離し、廃棄するために洗浄部材を外せるような構成である洗浄部材排出手段を含む洗浄器具。
【請求項６３】
流体が柄に含まれて、排出手段を起動する、請求項６２に記載の洗浄器具。
【発明の詳細な説明】
【技術分野】
【０００１】
本発明は洗浄器具に、特にトイレ洗浄器具に関するが、それに制限されない。
【背景技術】
【０００２】
特に、本発明は、従来の剛毛系のトイレ・ブラシの使用に伴う問題に対する実際的な解決法を提供しようとする。従来のトイレ・ブラシの欠点は、ブラシの剛毛が近接した個々のフィラメントのグループで配置構成されることであり、これは洗浄中に便器表面から除去した汚物粒子の集合および保持を促進する。使用者によって汚れたブラシを洗浄する作業は、困難かつ不快なことがある。別の欠点は、ブラシが再使用可能であるように意図され、時間が経過すると、剛毛ヘッドを洗浄するのが困難な結果、粒子が蓄積することがあり、これは見苦しく、かつ衛生上の危険もある。この効果は、器具の実行中の洗浄効力を低下させ、潜在的使用者に必要な洗浄作業をこの道具で実行することを思いとどまらせる。
【０００３】
多くの場合、ブラシの剛毛は、金属ステープルによってブラシ・ヘッドに取り付けられ、これはトイレの腐食性環境のために問題がある。漂白剤および洗浄用薬品は、通常はトイレに存在し、そのいずれかがこれらのステープルに腐食を招き、剛毛に醜い褐色の変色をもたらすことがある。さらに、ブラシ・ヘッドにおける剛毛の標準的配置構成は、使用中に浸漬すると、個々の剛毛フィラメントの間に水を保持する傾向を有する。その結果、使用していない時に少なくともブラシ・ヘッドが配置されるブラシ保持容器内に、汚れた水が目に見えるほど集合することは珍しいことではない。
【０００４】
上記で特定した問題を克服しようとして、提案された幾つかの設計が文書になっている。その多くは、使用後に水に流すように意図された使い捨ての洗浄「ヘッド」を有する柄を組み込む。しかし、このような設計で遭遇する問題は、ヘッドおよび柄の形状が、使用する前に使用者がこの２つの要素を相互に取り付けるために多大な器用さを必要とするような形状であることである。というのは、使用者は、ヘッドまたは洗浄部材を柄の端部に正確に位置合わせしなければ、取り付けることができず、これは特に高齢者または虚弱な人にとっては困難なことがある。
【０００５】
さらに、先行技術の文書では、洗浄ヘッドは通常、例えばトイレの縁部の下のように届きにくいトイレの領域を洗浄する必要がある場合に、満足できない設計を有する。また、このような器具を使用した後、使用者は柄の端部から汚れた洗浄ヘッドを手作業で外す必要があり、これは不快であり、かつ非常に不衛生である。さらに、先行技術の洗浄ヘッドの形状により、廃棄する場合のヘッドを水に流すことが困難になり、トイレの閉塞をもたらすことさえある。
【０００６】
水で流せるようにするために、ヘッドはいかなる箇所でも損傷または機械的閉塞を引き起こすことなく、トイレの水パイプを通り、排水パイプ・システムを通過して、処理作業の入口に到達しなければならない。
【０００７】
先行技術の文書には、ヘッドを、および場合によっては取り付けた柄も水に流せるように水中での洗浄ヘッドの全体的または部分的分解／溶解性に頼るものもある。感水性材料（例えば紙の短い繊維）および水溶性材料（例えばポリビニルアルコール）の分解速度は、２つの重要な要素、つまり水温と攪拌のレベルおよび継続時間（圧力／応力／時間）から多大な影響を受ける。また、トイレの水中に特定の薬物、例えば漂白剤および洗浄用酸が存在することも、特定の感水性材料の分解速度に影響することがある。これらの変数、特に約１０秒から約２分の間と推定される、各洗浄作業に関わる時間において避けられない変動により、各トイレ洗浄セッションの終了時に正確に分解する１つの材料を考案することが、実質的に不可能になる。したがって、作業が終了する前に材料が分解しないことが明らかに重要である。このような時期尚早の分解は、再使用可能な柄に接触した残留材料を残し、さらに洗浄作業を十分に終了できないようにする可能性が高いからである。
【０００８】
水で流すことができ、ポケット状の形状を有するヘッドを特徴とする以前の設計が存在する。このような形状は、材料の厚さにより、トイレの縁部の下に適合する。しかし、このポケットの設計は、摩擦嵌めの配置構成に基づき、再使用可能な直線の柄を使い捨ての洗浄構成要素の一方端に装填する。この取り付け構成は、上述した先行技術の設計の大部分に共通する。しかし、このような設計は重要な制限を有することが判明している。水で流せるために構成要素のサイズに制限があるので、再使用可能な柄の先端を受ける口も小さくなければならないか、ポケットの設計の場合は自然に閉鎖していなければならない。
【０００９】
個人の衛生に関して、使用者は以前に汚れたヘッドまたはトイレの水と接触している再使用可能な柄のいずれの部分とも直接に接触するか、極めて接近する必要がないことが非常に望ましい。したがって、使用者は、把持するよう意図された再使用可能な柄の端部のみを保持するようになっている。これには、自動装填／案内機構で追加される複雑さおよび費用をかけずに、構成要素の装填にある程度の正確さおよび器用さを必要とするが、これは不当に困難ではないまでも、せいぜい扱いにくいと考えられる。
【発明の開示】
【発明が解決しようとする課題】
【００１０】
したがって、本発明の目的は、上記の問題に対応し、単純に使用されて衛生的な再使用可能洗浄器具を提供することである。
【００１１】
洗浄作業が終了したら、洗浄ヘッドが即座に水で流せることが本発明のさらなる目的である。したがって、最大量の洗浄表面積を提供する使い捨ての洗浄ヘッドを、容易に水で流せる幾何学的制約内に組み込むことが、本発明の目的である。
【課題を解決するための手段】
【００１２】
本発明の第１の態様によると、使用者が保持するような構成である柄、柄の取り付け手段を介して自身に選択的に取り付ける水洗式洗浄部材を含む洗浄器具が提供され、前記柄が、使用後に洗浄部材を廃棄できるように洗浄部材を柄から外すために、使用者が操作可能な洗浄部材排出手段を組み込み、洗浄部材は、洗浄表面および反対側の取り付け表面を有し、前記取り付け手段が洗浄部材の取り付け表面に取り付く。
【００１３】
１つの実施形態では、取り付け手段は、洗浄部材の取り付け表面とほぼ水平になる。
【００１４】
したがって、使用者が保持するような構成である柄、および自身に選択的に取り付ける水洗式洗浄部材を含む洗浄器具が提供され、前記柄は、洗浄部材を廃棄できるように洗浄部材を柄から外すために、使用者が操作可能な洗浄部材排出手段を組み込む。
【００１５】
通常、洗浄器具はトイレの洗浄に使用される
【００１６】
洗浄部材はほぼ平面状であることが好ましい。「平面状」という用語により、洗浄部材が対向する第１表面と第２表面との間に薄い肉厚を有することを意味し、第１表面は、洗浄作用のために設けられ、第２表面は、洗浄手段の柄に取り付けられるように設けられる。洗浄部材は、柄に取り付ける時点でほぼ平面状であることが好ましい。洗浄部材は、取り付ける前は平坦または湾曲状でよく、１つの実施形態では、取り付けることによって平坦または湾曲した状態へと動作させることができる。
【００１７】
洗浄部材は可撓性であり、洗浄される表面形状に適合可能であることが好ましく、それによって部材はトイレの全ての区域を洗浄することができる。洗浄部材が乾燥時にこれが可能であり、これを軟化するために水を必要としないことが好ましい。
【００１８】
これは、洗浄部材が３次元である場合に到達が困難である洗浄領域または区域のために、器具の融通性を改善するので有利である。また、便器の濡れた下部区域を洗浄する前に、縁部の周囲のようなトイレの乾燥区域を洗浄する人が多い。洗浄部材の最大表面が、洗浄に使用可能であり、なお全体が水で流せることが有利であり、好ましい。
【００１９】
正確な形状および寸法は変動するが、トイレの大部分は定期的な洗浄を必要とする３つの共通要素、つまり縁部、便器区間および排水パイプ／トラップ区間を有する。本発明は、洗浄表面および反対側の取り付け表面を有する使い捨ての洗浄部材を提供する。洗浄表面は少なくとも十分に快適であり、したがって上記で特定した３つのトイレ要素それぞれを効果的に洗浄するために融通性がある。洗浄部材の以前の設計は大部分が、３次元の円筒形、円錐形または半球形の使い捨てヘッドを使用する。これらの形状は、トイレの便器と接触して、力を自身に加えるのに十分なだけ可撓性である場合にのみ有利である。このような過度の力の結果、これらのヘッドの材料が引き裂かれてしまうので振りである。
【００２０】
洗浄部材を取り付ける柄の部分は弾性で、例えばゴムなどの可撓性材料を有することが好ましい。あるいは、少なくとも１つの回転軸の周囲で、好ましくは複数の軸の周囲で取り付け手段の動作が可能であるように、第２端部は関節式であることが好ましく、それによって器具の洗浄端部が縁部の下またはトイレの便器のベースのようなトイレの厄介な領域に到達することができる。
【００２１】
通常、柄の取り付け手段は、洗浄部材をこれに効果的に取り付けられるようにする以外に、洗浄部材および取り付け手段がユニットとして柄に対して関節接合できるように関節手段が設けられる。これは、洗浄部材とともに洗浄される表面の輪郭に適合可能であるように、取り付け手段を設けることができ、柄を介して加える負荷または力が洗浄部材全体に分散できるように、洗浄部材の表面の十分な部分に取り付け手段を配置することとともに、洗浄部材の洗浄効果がその洗浄表面全体で均一であり、効果的な洗浄作用を提供することを保証する。
【００２２】
柄は、好ましくは自身と接触した後に洗浄部材と係合するような構成である取り付け手段を含み、柄と洗浄部材の取り付けを位置合わせでき、通常は洗浄部材のほぼ中心にできるように、位置合わせ手段を設けることができる。中心位置合わせによって、洗浄部材のさらに大きい表面積を均衡した方法で使用できるので有利である。
【００２３】
取り付け手段は、好ましくは洗浄部材と接触した後に、それと自動的に係合するような構成であることが好ましい。１つの実施形態では、取り付け手段は、少なくとも１つのフックまたはループ手段を含み、このフックまたはループ手段は、洗浄部材に設けた少なくとも１つのフックまたはループ手段と係合するような構成である。通常、洗浄部材と柄のそれぞれに、複数の隔置したフックまたはループを設ける。取り付け手段は、柄取り付け手段からほぼ直角に延在して、洗浄部材に必要な量の垂直方向把持力、および必要な量で通常はさらに大きい洗浄部材の剪断方向把持力を提供することが好ましい。したがって、取り付けは有意の量の横方向の力に耐えることができ、それでも洗浄部材が取り付け手段から比較的容易に係合解除される。
【００２４】
本明細書に記載されたような洗浄器具の利点は、洗浄部材を把持するために、多大な器用さと、通常はその変形とを必要とし、洗浄部材の効率が低下する先行技術のシステムとは反対に、器具の第２端部への取り付けが非常に単純である、つまり柄取り付け手段を洗浄部材に接触させて取り付けることである。
【００２５】
１つの実施形態では、洗浄器具は第１および第２アームを有し、このアームは旋回部によって相互に取り付けることが好ましい。各アームは第１端および第２端を有することが好ましい。アームは、アームの第１端がほぼ分離し、アームの第２端がほぼ一緒になる第１形状と、アームの第１端がほぼ一緒になり、アームの第２端がほぼ分離する第２形状との間で、好ましくはトング構成で旋回するような構成であることが好ましい。第１形状でアームにバイアス付与するような構成であるバイアス付与手段を設けることができる。バイアス付与手段は、ばねの形態でよい。この実施形態では、各アームの第１端が、使用者によって、好ましくはその手によって保持されるような構成である。第１アームの第２端は取り付け手段を含み、これは通常はアームが第１形状にある場合に、洗浄部材と係合するような構成である。したがって、使用者は第１形状にある場合にアームの第１端を保持し、第１アームの第２端を洗浄部材と接触させることができる。１つの実施形態では、第２アームの第２端が、第１アームの第２端のほぼ内側に対合するような構成であり、したがってアームが第２形状にある場合、取り付け手段は洗浄部材と接触するために露出している。
【００２６】
この実施形態では、第２アームの第２端は、アームが第１形状から第２形状へと動作すると、洗浄部材を排出するような構成である。使用時には、使用者はアームの第１端を一緒にして、旋回するようにし、これによってアームの第２端を分離することができる。第２アームの第２端が洗浄部材に押しつけられ、これによって洗浄部材が第１アームの第２端から離れる。
【００２７】
さらなる好ましい実施形態では、使用者が把持する柄の部分は、可動部分を含むか圧縮性であり、使用者によって選択的に圧縮または動作するような構成である。
【００２８】
通常、洗浄部材に取り付けるための柄の部分は排出手段を含み、これは取り付け手段に隣接して配置される。１つの実施形態では、排出手段は弾性部材の形態である。弾性部材は、取り付け手段が排出手段を囲む状態で、取り付け手段のほぼ中心に位置することが好ましい。１つの実施形態では、排出手段は弾性隔膜である。
【００２９】
排出手段は、これが洗浄部材と接触していない第１位置と、排出手段が洗浄部材と接触し、取り付け手段から離れて、洗浄部材を引いて取り付け手段から離す第２位置との間で動作するような構成であることが好ましい。第１位置にある場合、排出手段は柄の第２端のほぼ内側に配置することが好ましい。排出手段は、柄に沿って排出手段に機械的に接続された柄の動作または圧縮性手段を使用者が操作することによって、洗浄部材が第１位置から第２位置へと動作した場合に、これを排出するような構成である。１つの実施形態では、排出手段は柄の中にある室内の弾性部材である。
【００３０】
通常、器具は、使用者が保持するような構成である第１端、および洗浄部材と係合するような構成である取り付け手段を有する第２端を有する柄を含む。取り付け手段は、柄の第２端の周囲に配置することが好ましい。柄は滑動手段を含み、これは、洗浄部材の排出手段が滑動手段の一部に接続した状態で、手作業の影響により柄の中で滑動するような構成であることが好ましい。
【００３１】
器具は、滑動手段に第１形状でバイアスを付与するような構成であるバイアス付与手段を有することが好ましい。バイアス付与手段はばねを有することが好ましい。
【００３２】
１つの実施形態では、器具はマガジンを含み、その中には、器具の柄に取り付けた場合にマガジンから選択的に外すように複数の前記洗浄部材を設ける。通常、取り付け手段の一部が露出した柄をマガジン内に配置して、取り付け手段がマガジン内の露出した洗浄部材と接触して、それに取り付けられ、そこから外せるようにする。
【００３３】
本発明の第２の態様によると、トイレ便器の洗浄器具で使用する洗浄部材が提供され、前記洗浄部材は、トイレ便器内に廃棄するためにほぼ平面状であり、水で流すことができる。
【００３４】
洗浄部材は、少なくとも洗浄器具に取り付けた時にはほぼ平面状であることが好ましいが、使用中は、洗浄部材の本来の弾性および／または取り付け手段を適用した洗浄部材の表面にある取り付け手段からの支持により、ほぼ平面の形状を維持することが好ましい。
【００３５】
洗浄部材は通常、洗浄部材の形態である。洗浄部材は繊維質でよく、洗浄器具の取り付け手段と接触する点が繊維質であることが好ましい。１つの実施形態では、洗浄部材は、自身内に少なくとも１つの空隙を含む発泡体状の材料を有する。
【００３６】
洗浄部材は、ほぼ長円または長方形でよく、通常は長方形の洗浄部材が、例えば同様の寸法の正方形または円形の洗浄部材より水に流すことができる。後者の形状は、トイレの流出パイプを閉塞する傾向を有するからである。これは、２つの対向する辺が他の２つの対向する辺より非常に長く、長方形の形態では、流れの中にある洗浄部材の自然な方向は、短辺が動作方向で先導する方向であるせいである。
【００３７】
洗浄部材の幅は６０ｍｍ未満であることが好ましく、５５ｍｍ未満であることがさらに好ましく、５０ｍｍ未満であることが最も好ましい。洗浄部材の長さは１２０ｍｍ未満であり、１００ｍｍ未満であることが好ましく、９０ｍｍ未満であることがさらに好ましく、８０ｍｍ未満であることが最も好ましい。洗浄部材の長さは、洗浄部材の幅の最低１３０％であることが好ましく、最低１５０％であることがさらに好ましい。通常、洗浄部材は厚さが３０ｍｍ以下であり、厚さ１５ｍｍ以下であることが好ましい。
【００３８】
洗浄部材は単層構造であることが好ましい。
【００３９】
洗浄部材に加える洗浄薬品は、半乾性であるか、さらに明確には液体の状態を維持するが、熱で全ての水分が除去されると濃縮することが好ましい。これは、洗浄部材の重なりと接触し、その後に蒸発する全ての水分によって、使用時に洗浄部材が「融合」できないことを保証する。全ての水分が除去された場合に、洗浄薬品が本質的に乾燥しているか、固体である場合は、融合できるからである。
【００４０】
洗浄部材の乾燥重量の成分の好ましくは大部分、さらに好ましくは１００％が、天然材料であるか、下水処理場および下水系内に見られる状態で生物分解性である。
【００４１】
洗浄部材は、容易に（つまり２５℃未満の水中で５分以内には）水に溶解しない、または水で分解しない材料でほぼ形成することが好ましい。
【００４２】
洗浄部材は、ポリマ結合剤の水性分散液を不織繊維基質に噴霧して製造することが好ましい。
【００４３】
繊維はセルロース系材料であることが好ましい。
【００４４】
繊維は、ほぼ１５ｄｔｅｘの最小タイタを有することが好ましい。
【００４５】
樹脂結合剤は非吸着性であることが好ましく、非吸着性で生物分解性であることがさらに好ましく、澱粉ポリマ、脂肪族ポリエステル、または両方の組み合わせであることがさらに好ましい。
【００４６】
研磨剤は、陶器の表面に「傷を付けず」、酸性の洗浄薬品に反応しないことが好ましい。
【００４７】
繊維の個々のウェブは、係合側では０〜３００ｇｓｍの噴霧固体（乾燥樹脂および鉱物／充填剤）で、洗浄表面は１００〜５００ｇｓｍの乾燥固体で被覆することが好ましい。
【００４８】
洗浄部材の構造の繊維要素は、有意の重量パーセンテージのほぼ吸着性の繊維を有することが好ましく、最低３０％の吸着性セルロース繊維を有することがさらに好ましい。
【００４９】
あるいは、洗浄部材は、係合層、汚物バリア層および洗浄層の任意の組み合わせを含む多層構造でよい。係合層は柄に取り付けられ、織ったループのスクリムまたは開放構造の不織繊維ウェブを有する。汚物バリア層は、柄が汚染する危険を低下させ、小さいタイタ（３ｄｔｅｘ未満）で細密に形成した不織ウェブ、または連続的な軟質フィルムを有する。洗浄層は、摩耗および吸収性を提供し、粗い繊維（少なくとも１５ｄｔｅｘ）または細かい繊維（３ｄｔｅｘ未満）との混合物を有し、噴霧した追加の樹脂結合研磨剤あってもなくてもよい。
【００５０】
洗浄部材は、１つの実施形態では、洗浄中の変形を容易にし、その後は洗浄後の水に流しやすさを改善するために、少なくとも１つの開口、スロット、流路または切り欠きを含んでよい。
【００５１】
洗浄部材は、複数の比較的小さい洗浄部材を有し、これは柄の取り付け手段によって所定の位置に保持することが好ましい。この実施形態では、比較的小さい洗浄部材を、廃棄するために別個に外し、単一の比較的大きい洗浄部材より簡単に水に流す。
【００５２】
さらなる態様によると、使用していない場合に、本明細書で定義した少なくとも１つの洗浄器具を支持し、本明細書で定義した複数の洗浄部材を保存する保存手段が提供され、保存手段は、柄を案内して導入し、柄と洗浄部材を取り付けて使用するための洗浄器具を形成するように、洗浄部材と接触させることができるガイドを含む。
【００５３】
保存手段は、使用時に個々の洗浄部材を柄に取り付けるのを容易にする分離手段を含むことが好ましい。
【００５４】
さらなる態様によると、使用者が保持するような構成である第１部分、および洗浄部材に取り付けるための構成である第２部分がある柄を有する洗浄器具が提供され、前記器具の使用者が選択的に操作して、取り付け手段と柄の係合に抗して作用し、洗浄部材を取り付け手段から離して、廃棄するために洗浄部材の取り外しを可能にするような構成である洗浄部材排出手段を含む。
【００５５】
１つの実施形態では、排出手段の作動手段は、柄の使用者が把持する部分に位置し、機械的作動を使用する。代替実施形態では、洗浄部材が器具の取り付け手段から排出されるように、流体が柄の把持部分から柄の取り付け手段へと移動する。１つの実施形態では、流体が器具の中、好ましくはその本体の中に含まれ、１つの実施形態では、流体は空気または液体である。１つの実施形態では、流体はピストンとシリンダの構成によって移動し、柄は、自身に滑動自在に装着されたピストンを有するシリンダを含む。排出手段は弾性部材を含むことができ、これは弾性隔膜を有することが好ましい。
【００５６】
本発明のいずれの実施形態でも、第１位置にある排出手段は、実質的に器具の柄の内側に配置される。
【００５７】
さらなる態様によると、使用者が保持するような構成である第１端、および自身に取り付けた洗浄部材を有するような構成である第２端を有する柄と、自身が洗浄部材と接触していない第１形状と、自身が洗浄部材と接触している第２形状との間で動作するような構成である滑動手段とを有する洗浄器具が提供される。
【００５８】
滑動手段は、第１形状から第２形状へと動作すると、洗浄部材を排出するような構成であることが好ましい。その本体は第１シリンダを有する。滑動手段は、本体に装着した第２シリンダを有してよい。第２シリンダは、本体に沿って滑動するような構成であることが好ましい。あるいは、滑動手段は、本体の内側に滑動自在に装着された部材を有してよく、その一方端は、洗浄部材を排出するために取り付け手段上を滑動するが、洗浄部材上は滑動せず、他方端は、使用者がこれを操作できるように、本体を通って突出するボタンを含む。
【００５９】
本明細書に記載された形体は全て、任意の組み合わせで上記の態様のいずれとも組み合わせることができる。
【００６０】
本発明、およびその実施形態を実行する方法をさらに理解するために、例示により添付の略図を参照する。
【発明を実施するための最良の形態】
【００６１】
図１および図２を参照すると、家庭用家具、特に便器（図示せず）の内部の洗浄に使用できる家庭用洗浄器具２の第１実施形態が図示されている。洗浄器具２の第２実施形態と第３実施形態は、それぞれ図３および図４と図５および図６で図示されている。各実施形態で、器具２は、柄４と繊維質の不織洗浄部材６で構成され、その例が図８の様々な実施形態で図示されている。
【００６２】
図１を参照すると、器具２の柄４は、蝶番１２によって相互に接続された上部材８と下部材１０で構成され、蝶番によって上下部材８、１０の個々の動作が可能になる。器具２の第１実施形態では、使用者によって上下部材８、１０が蝶番１２の一方側で一緒にされると、上下部材８、１０は蝶番１２の他方側では分離される。
【００６３】
図２で示すように、上部材８の下側は取り付けプレート２８を形成し、これは矢印２８ａで示した一連の小さい下向きのフックで構成される。取り付けプレート２８のフック２８ａは、洗浄部材６を構成する繊維および／または空隙３８と係合し、したがって洗浄部材６がそれに取り付けられる。洗浄部材６の実施形態は、図８で図示し、以下で説明する。洗浄部材は、織物または不織材料であるか、発泡体材料である。
【００６４】
使用時には、使用者は最初に、柄４の上下部材８、１０が離れるように、それを把持する位置に配置する。これは、ばね機構（図示せず）によって、または便利であるように常に使用者がすぐ器具２を使用できることを保証する設計による自然なバイアスによって容易になる。これは、蝶番１２の反対側にある上限部材８、１０が強制的に一緒になることを保証する。次に使用者は、図９で示すように洗浄部材６が取り付けられるように、洗浄部材６の上部領域を柄４の取り付けプレート２８と非常に単純に接触させる。図９で示す洗浄部材６は、可能な洗浄部材６の実施形態の１つにすぎない。洗浄部材６の他の実施形態を図７および図８に示す。
【００６５】
フック２８ａが、洗浄部材６の繊維３８または空隙の上およびその周囲に引っかかる。洗浄部材６は比較的大きい繊維質区域を形成するので、使用者が洗浄部材６を柄４に取り付けることが非常に簡単で、ほとんど器用さを必要としない。したがって、高齢者または虚弱な人でも器具２を簡単に使用することができる。この機構の利点は、使用者が洗浄部材６を柄４に取り付ける際に、これに接触する必要がないことである。相互に取り付けると、洗浄部材６と柄４は、トイレの洗浄に使用できる完全な洗浄器具２を形成する。洗浄部材６は平坦でほぼ２次元であり、したがって例えば縁部の下側の周囲など、届きにくいトイレの領域の洗浄に適している。
【００６６】
洗浄部材６を使用した後、使用者は、洗浄部材６を柄４の取り付けプレート２８から排出するだけである。これは、図２の矢印「Ａ」で示すように、使用者が保持した点で、柄４の上下部材８、１０を一緒に握ることによって達成される。その結果、蝶番１２の反対側にある柄４の上下部材８、１０の区間が、強制的に分離する。その結果は、柄の下部材１０が、取り付けプレート２８のフック２８ａを洗浄部材６の繊維／空隙３８から外すのに十分な力にて図２の矢印Ｂで示す方向で洗浄部材６に押しつけられることである。洗浄部材６は、所望の方向で柄４の下側から物理的に引き離され、例えばトイレの便器に入る。この機構の利点は、トイレの洗浄に使用したら、使用者は洗浄部材６に一切接触する必要がないことである。したがって、器具２の使用が衛生的かつ安全である。
【００６７】
図３および図４を参照すると、洗浄器具２の第２実施形態が図示されている。柄４は、中心の剛性ネック区間１６へとテーパ状になる球状ヘッド区間１４、およびヘッド区間１８で構成される。ヘッド区間１８の下側は、中心に装着した可撓性隔膜２０で構成され、それが取り付けプレート２８に囲まれる。隔膜は、ヘッド区間１８の内外へと撓むことができる。器具２の第２実施形態の取り付けプレートは、隔膜２０の周囲に配置された一連の下方向に突出するフック２８ａで構成される。
【００６８】
使用時には、使用者が第１実施形態に関して上述したのと同じ方法で、つまりヘッド区間１８の下側を、したがって取り付けプレートを洗浄部材６に単純に接触させることによって、洗浄部材６を柄４の取り付けプレート２８に取り付ける。フック２８ａが洗浄部材６の表面にある繊維／空隙３８と係合し、それによってこれを所定の位置に維持する。第１実施形態と同様に、使用者は取り付け中に洗浄部材６またはヘッド区間１８に手で接触する必要がない。
【００６９】
柄の３つの区間１４、１６、１８は中空であり、空気で充填される。また、柄４の本体区間１４は可撓性の圧縮材料、例えばゴムで作成される。洗浄部材６を取り付けプレート２８から外すために、使用者は、図４で示した矢印「Ｃ」で示すように、圧縮性本体１４を握るだけである。その結果、本体１４の内側にある空気が器具２のネック１６を通ってヘッド区間１８へと下降する。ヘッド区間１８内の空気圧のシフトにより、隔膜２０が図４で示す矢印「Ｄ」の方向で外側へと動作する。その結果、汚れた洗浄部材６がフック２８ａから外れ、取り付けプレート２８から離れる。第１実施形態と同様に、洗浄部材６は、トイレまたはゴミ入れ（図示せず）内へ配向することができる。また、使用者は、汚れた洗浄部材６を使用したら、これを扱う必要がない。
【００７０】
図５および図６を参照すると、洗浄器具２の第３実施形態が図示されている。器具２は細長い内管２２で構成され、その一方端に可撓性端部２２ａが取り付けられる。取り付けプレート２８は、可撓性端部２２ａの端部の周囲に形成され、幾つかの取り付けフック２８ａで構成される。器具２はさらに外管２４で構成され、これは内管２２の外側で滑動自在である。内外管２２、２４はほぼ同じ長さである。ストッパ２６を、取り付けプレート２８から遠位側で内管２２の端部に設ける。ストッパ２６は、内ねじ山（図示せず）を介して取り付けプレート２８に接続され、取り付けプレート２８を可撓性端部２２ａの端部から遠隔式に取り外す手段として設けられる。
【００７１】
図５で示すように、洗浄部材６は、内管２２の端部にある取り付けプレート２８が露出するように、外管２４を戻すことによって、内管２２の端部にある取り付けプレート２８の端部に非常に単純に取り付けることができる。次に、取り付けプレート２８を洗浄部材６に接触させる。フック２８ａが洗浄部材６の繊維／空隙３８と係合し、その結果それに取り付けられる。端部２２ａは可撓性であり、それによって使用者は端部２２ａを操作し、したがって洗浄部材６をトイレの厄介な領域に入れることができる。
【００７２】
図６で示すように、使用者は、矢印「Ｅ」で示すように外管２４を取り付けプレート２８に向かう方向に滑動させることによって、洗浄部材６を内管２２の端部から単純に排出することができる。その結果、外管２４が洗浄部材６の頂部に押しつけられ、これが図６で示すように矢印「Ｆ」の方向で管２２、２４から引き離される。したがって、図１から図４で示した他の２つの実施形態と同様に、洗浄部材６は器具の取り付けプレート２８に非常に単純に取り付け、使用者が使用前または使用後に洗浄部材６に接触する必要なく、使用後に排出することができる。器具２のこの実施形態は弾性ばね（図示せず）も有し、それは使用者が器具を常に使用できるように、内管２２上で外管２４を引き戻す。
【００７３】
取り付けプレート２８上のフック２８ａは、洗浄部材６の繊維／空隙３８の下側に効果的に引っかかり、したがってトイレの洗浄に使用する場合、洗浄部材６が所定の位置に維持される。洗浄作業中は、柄４に、したがって洗浄部材６に一定の圧力が通常は加えられる。使用後は、３つの排出機構それぞれにより、使用者が決して汚れた洗浄部材６に接触する必要がないことが保証される。
【００７４】
図７を参照すると、取り付けプレート２８の様々な実施形態の拡大図が図示されている。取り付けプレート２８は、図７ｄで示すような連続的な洗浄表面を形成するか、様々な形状の穴３０を含んでよい。
【００７５】
図８には洗浄部材６の様々な実施形態が図示されている。各実施形態で、洗浄部材６は織物または不織材料の繊維質の網、または発泡体などで構成される。洗浄部材６は、トイレまたは他の表面の洗浄に使用できるのに十分なほど強靱な材料で製造することができる。通常、使用後にトイレに流せるように、材料は生物分解性または無毒であることが好ましい。洗浄部材６は通常は長方形の形状で、比較的平面であり、したがってこれより立体的な洗浄部材６では到達不可能な小さい区域内へと操作して入れることができる。洗浄部材６は、全体を繊維の網３８で、あるいは取り付けプレート２８のフック２８ａが係合できる空隙を有する繊維質層で作成することができる。
【００７６】
洗浄部材６は自身を横切って延在する一連のスロット３２を有してよい。スロット３２は、トイレに流すことによる洗浄部材６の廃棄を容易にするために設ける。洗浄部材６の設計は、洗浄プロセス中の有意の圧力に耐えるのに十分な強度は有するが、水に流すと分解し、分散できるような設計である。スロット３２は、洗浄のために使用する間、取り付けプレート２８が洗浄部材６との一体性を維持するような位置および長さである。しかし、使用後は、洗浄部材６が取り付けプレート６から排出され、したがってスロット３２はもはや相互に保持されていない。これは、洗浄部材６の分解を容易にする。洗浄部材６は、複数の洗浄部材、例えば４つの比較的小さい洗浄部材で構成できることが想定される。この場合、取り付けプレート２８は、４つの比較的小さい洗浄部材を所定の位置にて１つの洗浄部材６としてまとめる。使用後は、４つの比較的小さい洗浄部材が、トイレに流されるにつれて分散する。
【００７７】
図９を参照すると、取り付けプレート２８のフック２８ａと洗浄部材６との係合作用が図示されている。図９で示す柄８は、図１および図２で示した第１実施形態のそれである。また、図９で示す洗浄部材６は、洗浄部材６で可能な多くの実施形態の１つにすぎない。しかし、取り付けの機構は柄４および洗浄部材６の３つの実施形態全てで基本的に同じであることを理解されたい。
【００７８】
図１０を参照すると、使用していない場合に幾つかの洗浄部材６および柄４を保存することができる保存ユニット３４が図示されている。ユニットは、幾つかの未使用の洗浄部材６を保持する。
【００７９】
図１１から図１３および図１６を参照すると、洗浄器具２の第４実施形態、および保存ユニット３４の対応する第２実施形態が図示されている。器具２は細長い管４０で構成され、これは細長い部材４２をほぼ囲む。細長い管４０は２つの半分部分４０ａ、４０ｂｗ有し、これは相互にスナップ留め、ねじ留め、接着または他の方法で保持される。細長い管４０は、保存ユニット３４への案内を補助するリブ５８を含む。細長い部材４２は突起４４を有し、これは細長い管４０の開口４６を通って突出し、細長い管４０に沿って細長い部材４２を動作させるように起動することができ、さらに細長い部材４２に特定の方向でバイアス付与するバイアス付与手段を有する。ほぼ平行に接続されたプレート２８、４８を含む取り付け部材５６をが、細長い管４０の端部に旋回自在に装着される。細長い部材４２は、プレート４８の開口を介して排出部材５２に接続される。排出手段５２は、細長い部材５４および排出プレート５０を含み、これはプレート２８上を滑動するが、プレート４８上では滑動しないような構成である。取り付けプレート２８は、前述したように洗浄部材６と係合するためのフックを含む。使用時には、洗浄部材６を、洗浄のために取り付けプレート２８に取り付け、旋回自在に装着した部材５６がこの機能を補助し、終了すると、使用者はばねのバイアス付与手段がバイアス付与したのとは反対方向に前方へとボタン４４を滑動することによって洗浄部材６を排出し、これが取り付けプレート２８上で排出プレート５０を、プレート４８の近位側で取り付けプレート２８と面一か、面一より手前の位置から、取り付けプレート２８と面一より先の位置へと滑動させ、これによって洗浄部材６を取り付けプレート２８から強制的に離す。
【００８０】
保存ユニット３４は、幾つかの未使用の洗浄部材６を保存ユニット３４内に配置している場合、これをベースに対して例えば３０°の角度、かつ取り付けプレート２８に平行に保持することができる。これによって、洗浄部材６は、使用者がさらに作用しなくても、接触して取り付けプレート２８と係合することができる。保存ユニット３４は、洗浄部材６を補充できる扉６０を含む。扉は、スナップ留め、滑動自在の装着、蝶番などのような幾つかの標準的方法で取り付けることができる。扉または保存ユニット３４の他の部分にある開口６２によって、使用者は保存ユニット３４内に含まれる洗浄部材６の数を見ることができる。保存ユニットは、例えば保存ユニット３４を逆さまにした場合に、洗浄部材６が誤って落下するのを防止するための縁部６４、および洗浄器具２のリブ５８を保存ユニット３４内に案内するスロット６６を含む。
【００８１】
図１４から図１５および図１７から図１９を参照すると、洗浄器具２の第４実施形態、および保存ユニット３４の対応する代替的第３実施形態が図示されている。保存ユニットは２つの区間３４ａ、３４ｂで構成され、これはスナップ留め、クリップおよび／または蝶番で相互に保持されて、その開口は、自身内に保持された洗浄部材６のカートリッジ６８の交換を容易にする。
【００８２】
洗浄器具２を保存ユニット３４内に配置すると、洗浄器具２の取り付けプレート２８がスロット６６のリブ５８によって洗浄部材６と位置合わせされ、これは洗浄器具２を直立姿勢に固定することも行う。
【００８３】
洗浄器具２を保存ユニット３４から取り出す際は、リブ５８がスロット６６から係合解除し、それによって洗浄器具が使用者に向かって移動する。使用者が洗浄器具２を保存ユニット３４から引き上げすぎると、洗浄部材６を汚染および／または係合解除することなく、取り付け部材５６とともに洗浄器具２の端部を案内して保存ユニット３４の開口から出るように、取り付け部材５６が偏向リブ７０と接触する。
【００８４】
保存ユニット３４は、洗浄部材がカートリッジ６８の内面によってわずかに把持されるように、洗浄部材６のカートリッジ６８の外面と接触して、カートリッジ壁を変形させる２つ以上の干渉リブ７２を含む。カートリッジ６８は、このような変形を可能にするほど十分に可撓性であり、カード、薄膜などから製造され、カートリッジが中央に「挟まれる」という効果を生じる。洗浄部材６が相互に付着するという自然の傾向を有するので、干渉リブ７２によって洗浄部材を使用時に１個ずつ外すことができる。さらなる実施形態は、前述したものと同様の結果を達成するために干渉リブを設けたカートリッジ６８を含む。
【００８５】
図２０から図２２を参照すると、洗浄器具２の洗浄端部のさらなる実施形態が図示されている。この場合、器具の柄は２つの半分部分４０ａ、４０ｂを有し、取り付け手段５６へと下に向かう細長い部材４２をほぼ囲む。取り付けプレート２８を含む取り付け手段５６も図示されている。細長い部材４２は、取り付け手段に隣接するその下端が、支持リブ５５を有する中心区間５４と、中心区間の各側にある２本のアーム５７、５９を有するように構成される。洗浄および／または洗浄部材の取り付けに使用する場合、取り付け手段５６の旋回動作の自由範囲は、アーム５７、５９がバレル６１とともに旋回する能力によって画定される。中心区間５４はスロット６３によってアームから分離され、柄の第１半分部分４０ａと柄の第２半分部分４０ｂの延長壁によって形成された室４１に収容される。
【００８６】
所望に応じて、特定の方向で細長い弾性部材４２にバイアス付与するために、バイアス付与手段も含むことができる。
【００８７】
洗浄部材を排出するために、細長い部材４２を起動して、柄および取り付け手段に対して下方向に動作させ、そうすると、部材４２は、アーム５７、５９および中心区間５４が全て、これを一緒に運搬するように作用するバレル６１を通して同じ方向および面で動作するという意味で、ユニットとして動作する。強化リブ５５を設けると、図２２で示すように排出に使用する場合、部材４２をさらに強化するように作用する。下方向の動作は、取り付け手段５６を通過し、これによって排出手段が排出力を提供して、洗浄部材を取り付け手段５６から外す。これにより、以下で説明するように洗浄部材が取り付け手段５６から排出される。
【００８８】
図２０および図２１は、洗浄に使用している洗浄器具２の形状を断面で示す。この配置構成では、弾性部材４２が、取り付け手段５６を配置したアーム５７、５９を有し、その旋回運動を可能にする一方、中心区間５４は取り付け手段に拘束力を加えず、室４１内にあって、室の部分４０ａおよび４０ｂによって画定される。図２０は、洗浄に使用する位置にある取り付け手段を示し、図２１は、保存ユニット内で洗浄部材を取り付け手段に取り付けて、使用するために洗浄部材を保存ユニットから持ち上げられるように、器具を相補的保存ユニット（図示せず）内に配置する位置で洗浄器具２の形状を示す。
【００８９】
１．洗浄に使用している場合、取り付け手段はアーム５７、５９を中心として男性部材４２に対して旋回自在に動作可能であり、排出モードでは、与えられる剛性の程度が上がることが重要である。これは、記載されたように加えた下方向の力とバレル６１との組み合わせによって達成され、したがって部材４２は、旋回位置を通過するにつれ、一体部材として、１つの下方向にのみ移動するように拘束され、したがって１つの一体力を加えるアーム５７、５９および中心区間５４を有する。これは、排出手段が効率的に作動できるのに必要な強度および剛性を、洗浄部材の取り付け手段からの排出を達成させるのに十分な強度で提供する。したがって、排出手段を洗浄部材に加えて、これを取り付け手段から外す際に、アームは、弾性部材４２のさらなる位置との組み合わせで作用し、取り付け手段が存在する面に対してほぼ直角の方向に排出力を加え、取り付け手段は、排出力が洗浄パッドの全体に均一に加えられて、排出を、したがって洗浄部材の取り外しの達成を可能にするように、洗浄部材にほぼ平行に存在する。
【００９０】
本発明の重要な形体の１つは、再使用可能な柄４と使い捨ての洗浄部材６との間に、柄の意図した位置で使用者の手を使用することによってのみ容易に係合する取り付け機構を設けることである。したがって、器具２は、再使用可能な柄４の遠い方の端部に位置し、一連の突出フック２８ａを特徴とする取り付け手段２８で構成される。このような低い輪郭のフック２８ａが、洗浄部材６の上面層上にある繊維／連続的フィラメント３８と係合する。使用者が取り付けプレート２８を洗浄部材６の中心に位置決めして、押下することが意図されているが、正確に接触させることは重要ではなく、したがって最低レベルの器用さしか必要としない。
【００９１】
取り付けプレート２８が汚れるか、損傷した場合に、これを柄４の端部から交換可能である選択肢が存在する。取り付けプレート２８は、（ｉ）既存の適切なフックとループの締結システムからのフック・テープの切断区間を装着した支持プレート（図示せず）、または（ｉｉ）図面で図示するような単一の射出成形構成要素のいずれかで構成することができる。注文作成の成形フック２８／繊維３８のシステムという選択肢により、以下の改良点を工夫することができる。
【００９２】
１）フック２８ａの輪郭の幾何学的形状および間隔を、最低限度の接着のみ、つまり洗浄部材６と安全に係合し、十分に飽和した状態でトイレの水中から持ち上げるのに十分なだけの接着を提供するように工夫する。これは、各フック２８ａと繊維３８の係合程度を低下させ、フック２８ａおよび繊維３８の表面密度を低下させることによって達成することができる。これは、洗浄部材６の係合を解除した場合に、落ちた繊維３８または洗浄部材の残骸がフック２８ａ内に残るという危険性を低下させ、場合によってはフック２８ａの有用寿命を延長する。また、洗浄部材６の係合解除がさらに容易になり、排出器機構の設計に融通性を与える。係合の程度が著しく低下した場合でも、締結システムが洗浄中に適切な剪断強度以上のものを提供する。
【００９３】
２）取り付けプレート２８を一連の口３０（図７ａおよび図７ｅ参照）で通気し、水を流れるようにして、フック２８ａ内に捕捉されるような残留繊維３８の除去を補助することができる。
【００９４】
本発明の別の重要な態様は、柄４に簡単に、つまり柄の取り付けプレート２８で洗浄部材６の上面に接触するだけで装着されるだけでなく、非常に単純かつ経済的に生産される使い捨ての洗浄部材６を開発することであった。代替設計、特に摩擦嵌めによって係合する立体形ヘッドを含む設計は、単一段階または多段階の成形／作成プロセスを含む。成形または作成プロセスの結果、ほぼ確実に単価と投下資本との両方に関して費用が大幅に増大する。これに対して、洗浄材料の平坦で単層のロールは、好ましい寸法の小さい洗浄部材６へと非常に単純に変更することができる。
【００９５】
本発明の重要な形体は、大部分のトイレ洗浄作業を効果的に処理する材料構造を好ましい幾何学的形状と組み合わせて使用することである。所望の特徴は以下のように要約することができる。
１）最低限の汚れで、表面から剥がれた汚れを除去する拭き取り作用の吸収性。
２）硬化した汚れと石灰および水あかの蓄積との除去に役立つ研磨。
３）加圧下で洗浄中の表面の輪郭に容易に一致する瞬間的順応性。これは、洗浄部材６が乾燥している場合に可能であり、つまり水が不要である。
４）剛性。飽和時に自立し、加えられた圧力を洗浄部材に通して支持されていない区域へと伝達するほど十分に剛性である。
５）例えば２分間のように比較的長い期間にわたる非常に過酷な作業に耐える強度。
６）脱水洗浄化学式を洗浄部材６に組み込んで、別個の洗浄薬品の使用を置換および／または補足することができる。
【００９６】
以前に提示された多くの設計は、十分なレベルの吸収性を提供するようである。しかし、研磨、（使用時の最大寿命での）強度、および順応性／剛性のバランスのレベルは、これまで剛毛系トイレ・ブラシの洗浄効力と一致するか、さらにはそれより改善するには不十分であった。
【００９７】
水溶性および分解は、使用後に即座に水で流せるようにするには信頼性が低いと考えられているので、洗浄部材６は少なくとも洗浄部材６に必要とされるような最大要求量について完全なままで、無傷でいなければならない。これは、微温湯中で飽和した状態で、陶器の便器表面に対して５００ｇを超える一定の確実な圧力で一定に攪拌し、２分間とほぼ定義されている。本発明の範囲は、２つの材料分解仕様を使用することができる。つまり、（ｉ）使い捨ての洗浄部材６は、汚水処理システム内にある間は明白に分解しない、または（ｉｉ）洗浄部材６は、同等の最大要求量を加えてからすぐ後に分解を開始するように設計される。
【００９８】
第２の選択肢は、好ましい材料仕様である。というのは、汚水処理システム内で発生し得る閉塞に対する安全性の程度を上げるからである。洗浄部材の塊の構成および幾何学的形状は、完全な洗浄部材６が常に障害を引き起こさずに水で流されることを保証するが、水流の量が少ない区域では、洗浄部材６が時間の経過とともに汚染処理場内に沈殿し、蓄積する危険もあり得る。したがって、水で流すことが可能になるとすぐに、材料が分解を開始することが好ましい。
【００９９】
上記で識別した材料構成の選択肢に加えて、生産中にスロットまたは切り取り線３２を含めることによって、分解速度を様々な程度に加速することができる。切り取り線３２は、洗浄部材６が使用中に、または係合解除している場合に分解しないことを保証するために、取り付けプレート２８または締結具プレートの選択されたフック２８ａレイアウトとともに作業するパターンで構成することが重要である。
【０１００】
使い捨ての洗浄部材６は、生物分解性材料から作成することができるが、これは必要不可欠ではない。また、洗浄部材６は不織基質から作成する。しかし、発泡体または織物などの代替基質も使用することが可能である。必要に応じて、材料は、任意に配置構成した横材の開放構造を提供し、これによってフック２８ａを取り付けるか係合させることができる。これは繊維質または発泡体でよい。
【０１０１】
洗浄部材６に使用する材料は、選択した必要な分解特性に依存する。
【０１０２】
例えば、使い捨ての洗浄部材６は不織材料の単層構造に基づく。生物分解性繊維３８を「高バルキ性」ウェブに形成し、これは例えばカージングし、軽くニードルパンチ結合する。このウェブは、ビスコース・レーヨンのようなセルロース繊維、またはビスコース／ポリ乳酸繊維の混合物で構成することができる。高バルキ性ウェブを次に噴霧結合し、熱硬化して、樹脂結合繊維３８の強力な基材を生成する。樹脂は部分的に加水分解し、溶液の状態で適用したＰＶＯＨである。研磨性を追加するために、天然材料、または生物分解性グリット、例えばチョーク／粉砕した堅果の殻を噴霧溶液に添加することができる。
【０１０３】
このようなプロセスの結果、洗浄部材６の厚さを通して、繊維３８間の比較的広く不快間隔により、高バルキ性ウェブ構造がフック２８ａの係合を可能にする。樹脂結合剤が、洗浄中に強力な結合を保証し、係合解除後はフック２８ａ内への繊維の捕捉を最小限に抑える。樹脂結合剤と軟質グリット粒子の含有物が、頑固な汚れを持ち上げるが、陶器の表面に引っ掻き傷を作らない所望のレベルの研磨を提供する。樹脂結合剤の混合物は、水で流した後でしか分解が開始しないように工夫した溶解性の遅延レベルを提供する。低レベルの機械的結合しかないので、材料構造は小さい粒子に分解し、最終的に結合剤が溶解した後は個々の繊維になる。織物の構造および密度は、水で流すために最適の塊を提供する。
【０１０４】
上記の属性それぞれを提供する代替方法は、不溶性結合剤を使用し、ビスコース／ＰＬＡと混合した部分的加水分解ＰＶＯＨ繊維を使用することである。これによって、排出時に、または取り付け構造から排出後の液体中で、繊維構造の一部が分解／溶解するにつれて、汚水処理場で洗浄部材６が部分的に分解することができる。
【０１０５】
材料は、２層構造も含むことができ、その上層は連続糸から作成した織物ループ・スクリムを使用する。これは、締結フック２８ａから係合解除した後に落ち毛となる可能性が低いという利点を有する。個々の比較的短い繊維３８から構成されていないからである。第２層は、上述したものと同様のプロセスを使用するが、不溶性結合剤を使用して製造することができる。これは、必要な研磨、風合いおよび感触の特性を提供する。あるいは、第２層は、他の不織方法を使用し、仕上げプロセスによって研磨を提供する状態で生産することができる。
【０１０６】
フック２８および繊維３８を締結する方法によって、図１から図６で示すような幾つかの排出機構を考察することができる。排出器機構は、使用後に汚れた洗浄部材６全体を清潔に除去することが最も重要である。取り付けプレート２８と洗浄部材６の境界面の構成は、フック２８ａ内に保持される残留繊維３８が最少量であることを保証するために重要である。残留繊維３８が取り付けプレート２８のフック２８ａの近傍に蓄積するか、プレート２８が損傷または汚染した場合、代替設計は、使用者がプレートを直接把持する必要なく、プレート２８またはプレートを遠隔から外せる機構を提供することである。
【０１０７】
図面で示した任意選択の排出器機構に加えて、器具２の洗浄性能に多大な関係を有する柄４の設計に関する考慮事項が他に２つある。例えば、柄の内部の洗浄製剤分配構成（図示せず）は、（ｉ）着脱式容器（使い捨てまたは補充可能）の形態であるか、（ｉｉ）必要に応じて使用者が充填できる柄、または液体、ゲルまたはムースで充填された使い捨ての柄の内部にある空隙である。この機構は、使い捨ての洗浄部材６を通して、または直接的にトイレの便器表面に製剤を分配することができる。さらなる選択肢として、洗浄部材は、洗浄材料を含浸するか、それで被覆することができ、これは環境条件に影響されやすく、その場合、洗浄部材は、使用前に包装にて環境条件から密封することができる。
【０１０８】
読者の注目は、本出願に関連して本明細書と同時に、または本明細書に先立って出願され、本明細書とともに一般の調査のために公開された全ての書類および文書に向けられ、このような書類および文書の内容は、参照により本明細書に組み込まれる。
【０１０９】
本明細書（添付の請求の範囲、要約書および図面を含む）で開示された形体の全部および／またはこのように開示された方法またはプロセスのステップの全部は、任意の組み合わせで組み合わせることができるが、このような特徴および／またはステップの少なくとも幾つかが相互に排他的である組み合わせは除く。
【０１１０】
本明細書（添付の請求の範囲、要約書および図面を含む）で開示された各形体は、他に明示していない限り、同じ、同等または同様の目的のために働く代替形体で置換することができる。したがって、他で明示していない限り、開示された各形体は、一般的な一連の同等または同様の形体の一例にすぎない。
【０１１１】
本発明は、以上の実施形態の詳細に限定されない。本発明は、本明細書（添付の請求の範囲、要約書および図面を含む）で開示された形体のうち新規の形体、または新規の組み合わせに、またはこのように開示された方法またはプロセスのステップのうち新規のステップ、または新規の組み合わせにも拡張される。
【図面の簡単な説明】
【０１１２】
【図１】第１形状にある洗浄器具の第１実施形態の略側面図を示す。
【図２】第２形状にある洗浄部材の第１実施形態の略側面図を示す。
【図３】第１形状にある洗浄部材の第２実施形態の略側面図を示す。
【図４】第２形状にある洗浄器具の第２実施形態の略側面図を示す。
【図５】第１形状にある洗浄器具の第３実施形態の略側面図を示す。
【図６】第２形状にある洗浄器具の第３実施形態の略側面図を示す。
【図７】図７ａから図７ｅは、本発明による取り付けプレートの様々な実施形態の略斜視図を示す。
【図８】図８ａから図８ｃは、洗浄部材の様々な実施形態の略平面図を示す。
【図９】図１に示した洗浄器具の拡大斜視図を示す。
【図１０】洗浄器具の保存ユニットの斜視図を示す。
【図１１】洗浄器具の第４実施形態の立体図を示す。
【図１２】保存ユニットの第２実施形態の立体図を示す。
【図１３】洗浄器具の第４実施形態および保存ユニットの第２実施形態の立体組立分解図を示す。
【図１４】第３実施形態の保存ユニット内に配置された第４実施形態の洗浄器具の立体図を示す。
【図１５】第３実施形態の保存ユニット内に配置された第４実施形態の洗浄器具の立体切り取り図を示す。
【図１６】第４実施形態の洗浄器具の拡大立体組立分解図を示す。
【図１７】第３実施形態の保存ユニット内に配置されている第４実施形態の洗浄器具の前面図を示す。
【図１８】第３実施形態の保存ユニットから取り出される第４実施形態の洗浄器具の側面図を示す。
【図１９】第３実施形態の保存ユニットの下部区間の上面図を示す。
【図２０】第１形状にある洗浄器具のさらなる実施形態の側断面図を示す。
【図２１】さらなる位置にある図２０の洗浄器具の実施形態の略側面図を示す。
【図２２】図２０および図２１の実施形態を概略的な方法で示す。
【図１】
2006519046.tif 000003
【図２】
2006519046.tif 000004
【図３】
2006519046.tif 000005
【図４】
2006519046.tif 000006
【図５】
2006519046.tif 000007
【図６】
2006519046.tif 000008
【図７】
2006519046.tif 000009
【図８】
2006519046.tif 000010
【図９】
2006519046.tif 000011
【図１０】
2006519046.tif 000012
【図１１】
2006519046.tif 000013
【図１２】
2006519046.tif 000014
【図１３】
2006519046.tif 000015
【図１４】
2006519046.tif 000016
【図１５】
2006519046.tif 000017
【図１６】
2006519046.tif 000018
【図１７】
2006519046.tif 000019
【図１８】
2006519046.tif 000020
【図１９】
2006519046.tif 000021
【図２０】
2006519046.tif 000022
【図２１】
2006519046.tif 000023
【図２２】
2006519046.tif 000024
【国際調査報告】
2006519046.tif 000025
2006519046.tif 000026
2006519046.tif 000027
2006519046.tif 000028
2006519046.tif 000029